(57)【要約】【課題】タンクローリー上で給油・点検作業する際には、作業者の墜落事故防止と、爆発事故防止を考慮した墜落防止装置の開発が望まれていた。【解決手段】筒状体の下面長さ方向に連続して開口するガイド溝１１を配した水平レール１をレール把持金具１４によって構造物に固定配置し、ガイド溝１１内を自在に移動する移動部材２の環部２３に、遠心クラッチ機構を内蔵し、所定長のベルト３２を引出し、収納自在としたベルト巻取機３を連結し、ベルト先端の係止具３３と作業者の安全帯４を連結して作業者の墜落を防止するとともに、作業者の衣服に導電繊維を採用し、安全帯４のベルト４３およびベルト巻取機３に収容するベルト３２には導電繊維を織りこみ、フック３３、ベルト巻取機３、移動部材２の主要部を銅製として、作業者の静電気を構造物に通電し、防爆状態における作業者の墜落を防止する装置である。【選択図】　　　　図５
2004097562.tif 000002
【特許請求の範囲】
【請求項１】
筒状体の下面長さ方向に連続して開口するガイド溝を配した水平レールをレール把持金具によって構造物に固定配置し、ガイド溝内を自在に移動する移動部材の環部に、遠心クラッチ機構を内蔵し、所定長のベルトを引出し、収納自在としたベルト巻取機を連結し、ベルト先端の係止具と作業者の安全帯を連結して作業者の墜落を防止するとともに、作業者の衣服に導電繊維を採用し、安全帯のベルトおよびベルト巻取機に収容するベルトには導電繊維を織りこみ、フック、ベルト巻取機、移動部材の主要部を銅製として、作業者の静電気を構造物に通電するとともに、金具類の衝突による火花の発生を防止した防爆状態における作業者の墜落を防止することを特徴とする可燃物積載車点検用墜落防止装置。
【発明の詳細な説明】
【０００１】
【発明の属する技術分野】
本願は、中継給油所等で、タンクローリーに給油・点検する際に、作業者の転落事故防止と爆発事故防止を考慮した墜落防止装置に関するものである。
【０００２】
【従来の技術】
以前より、墜落事故より高所作業者を守るための安全装置としては、作業者が腰部に装着する安全帯がある。安全帯には連結したロープの先端に係止フックが取付けられ、この係止フックを構造物等に係止して事故を防止している。
中継給油所において可燃物積載車（タンクローリー）に給油・点検する際は、安全帯の係止フックの係止を足元のパイプ等に係止して行っていた。
よって、タンクローリー上の移動時に、転落すると落下距離が長くなり、転落は免れても内臓に障害が発生することがあった。
作業中は、作業者の身体に溜まった静電気による放電・引火、また、安全帯の金具類の衝突火花による引火爆発を防止するため、アースを確実に取り細心の注意を払いながらの作業であった。
【０００３】
【発明が解決しようとする課題】
前記したように、高所作業は、同じ場所で作業することは少なく、広範囲に移動することが多く、前記した安全帯では移動範囲が制限され、大きく移動する場合は構造物から係止フックを外し、作業場所まで移動した後、別の位置の構造物に係止フックを掛け替えなければならず、掛け替え作業が面倒であった。
また、係止フックの掛け替え時には、安全確保の手段がなされておらず、墜落事故が発生する危険性が大きいものであった。また、係止回数が増えるとその分スパークの発生する回数も増すものであった。
また、前記車上の作業は、比較的低い位置なので、係止フックの係止位置によっては墜落時に作業者が地面に激突する可能性も高いものであった。
【０００４】
【課題を解決するための手段】
よって、中継給油所において、高所作業する作業者の転落事故および爆発事故を防止する装置を開示するものである。
具体的には、車の停止位置上部に、筒状体の下面長さ方向に連続して開口するガイド溝を配した水平レールをレール把持金具によって構造物に固定配置し、ガイド溝内を自在に移動する移動部材の環部に、遠心クラッチ機構を内蔵し、所定長のベルトを引出し、収納自在としたベルト巻取機を連結し、ベルト先端の係止具と作業者の安全帯を連結して作業者の墜落を防止するとともに、作業者の衣服に導電繊維を採用し、安全帯のベルトおよびベルト巻取機に収容するベルトには導電繊維を織りこみ、フック、ベルト巻取機、移動部材の主要部を銅製として、作業者の静電気を構造物に放電するとともに、金具類の衝突による火花の発生を防止した防爆状態における作業者の墜落を防止するものである。
【０００５】
【実施例】
本願の実施例を詳記すると、
中継給油所で車を停止させる上部の屋根部材等の構造物に、筒状体の下面長さ方向に連続して開口するガイド溝１１を配した水平レール１をレール把持金具１４によって構造物に固定配置し、ガイド溝１１内を自在に移動する移動部材２の環部２３に、遠心クラッチ機構を内蔵し、所定長の細幅織りベルト３２を引出し、収納自在としたベルト巻取機３を連結し、ベルト先端の係止具３３と作業者の安全帯４を連結して作業者の墜落を防止するとともに、作業者の衣服に導電繊維を採用し、安全帯４のベルト４３およびベルト巻取機３に収容する細幅織りベルト３２には導電繊維を織りこみ、係止具（フック）３３、ベルト巻取機３、移動部材２の主要部を銅製として、作業者の静電気を構造物に通電するとともに、金具類の衝突による火花の発生を防止した防爆状態における作業者の墜落を防止するものである。
【０００６】
図１は、水平レール１部の組立斜視図であり、筒状体の下面長さ方向に連続して開口するガイド溝１１を配した水平レール１をレール把持金具１４によって構造物に固定配置するものである。
水平レール１の材質は、引抜きあるいは押出しによって形成したアルミ製のものである。
水平レール１は、単体レールをジョイント金具１２により複数本連結することができる。
水平レール１の両端部には、移動部材２の抜け止め防止のストッパー１３を設けたものである。
【０００７】
図２は、移動部材２の斜視図であり、逆三角状のフレーム２１と二対のローラー２２を銅製にしたものである。
移動部材２のフレーム２１上部には、４個のローラー２２を配し、ガイド溝１１内をスムーズに移動可能としたものである。
移動部材２のフレーム２１下部には、ベルト巻取機３の連結Ｕ字環３４を連結する環部２３を設けたものである。
以上のように、各部を銅製とすることにより、鋼材同士の接触時に起るスパークを発生させないものである。
【０００８】
ベルト巻取機３の構造を簡単に説明する。
ベルト巻取機３は、合成繊維製の細幅織りベルト３２をドラムに巻き取ったものであり、ドラムに巻取りバネを配して、絶えずベルトに巻取り力を附勢したものであり、余分なベルトが垂れ下がること無く、作業者の上下移動に追随するものである。さらにドラムには、遠心爪３１が取付けられており急激にベルトを引き出すとドラムが急回転し、遠心力によって遠心爪３１が開いてカバーに設けたストッパーと当接して、ドラムの回転を阻止し、それ以上の細幅織りベルト３２の繰出しを阻止するものである。よって、落下距離も短く作業者に与える衝撃荷重も小さいものである。
図３，４は、ベルト巻取機３の斜視図であり、一般品との相違点は、遠心爪３１と係止フック（図示せず）および移動部材２と連結する連結Ｕ字環３４を銅製とし、金属接触によるスパークを発生させないものである。
さらに、合成繊維製の細幅織りベルト３２は、導電繊維を織り込んで、帯電する静電気を機外に通電することができる。よって、静電気によるスパークをも発生させないものである。
【０００９】
図５，６は、安全帯４の一例を示すものであり、ハーネス型安全帯と呼ばれるものであり、一般品と相違する点は、リング４１とバックル４２を銅製とし、身体を固縛するベルト４３に導電繊維を織り込んだものである。さらに、作業者の衣服は、導電繊維を織り込んだ生地を用いたものである。
よって、作業者に帯電する静電気は、衣服，安全帯４，ベルト巻取機３へ、続いて移動部材２，水平レール１そして構造物へと放電するとともに、金具類の衝突による火花の発生を防止した防爆状態における作業者の墜落を防止することができる。
【００１０】
本願の可燃物積載車点検用墜落防止装置は、図７，８のような状態に取付けられるものであり、中継給油所のタンクローリー停止位置上部の屋根鋼材等の構造物に、筒状体の下面長さ方向に連続して開口するガイド溝１１を配した水平レール１をレール把持金具１４によって固定配置し、ガイド溝１１内を自在に移動する移動部材２の環部２３に、遠心クラッチ機構を内蔵し、所定長の細幅織りベルト３２を引出し、収納自在としたベルト巻取機３を連結し、ベルト先端の係止具３３と作業者の安全帯４を連結して作業者の墜落を防止するとともに、作業者の衣服に導電繊維を採用し、安全帯４のベルト４３およびベルト巻取機３に収容する細幅織りベルト３２には導電繊維を織りこみ、係止具（フック）３３、ベルト巻取機３、移動部材２の主要部を銅製として、作業者の静電気を構造物に放電するとともに、金具類の衝突による火花の発生を防止した防爆状態における作業者の墜落を防止するものである。
以上のように、本願装置は、作業者の移動に追随し、作業者に負担をかけない。
また、本願装置は、各部を銅製としているので、金属との接触時に起るスパーク発生がない。また、作業者やベルト巻取機のベルトに発生する静電気は、安全帯，ベルト巻取機，移動部材，水平レール，構造物へと通電してアースすることができスパークを発生させない。
【００１１】
【発明の効果】
以上のように、本願の可燃物積載車点検用墜落防止装置は、各機材の連結部および接触部を銅製とし、金具接触の際に発生するスパークを防止するとともに、ベルト巻取機の細幅織りベルトおよび安全帯のベルトには、帯電防止の導電繊維を織りこみ、さらに、作業者の衣服にも導電繊維を織り込んだ生地を採用し、帯電した静電気を構造物に放電するとともに、金具類の衝突による火花の発生を防止した防爆状態における作業者の墜落事故と爆発事故を防止することができる。よって、精油所、中継給油所のような油関係だけでなく、液体ガス・液体化学薬品等をタンクローリーで運搬する給液施設においても同様に取付け使用可能である。
【図面の簡単な説明】
【図１】本願可燃物積載車点検用墜落防止装置の水平レール部の斜視図。
【図２】本願可燃物積載車点検用墜落防止装置の移動部材の斜視図。
【図３】本願可燃物積載車点検用墜落防止装置のベルト巻取機の斜視図。
【図４】本願に用いるベルト巻取機のドラム部斜視図。
【図５】本願に用いる安全帯の正面図。
【図６】本願に用いる安全帯の背面図。
【図７】本願可燃物積載車点検用墜落防止装置の使用状態正面図。
【図８】本願可燃物積載車点検用墜落防止装置の使用状態側面図。
【符号の説明】
１　水平レール
２　移動部材
３　ベルト巻取機
４　安全帯
１１　ガイド溝
１２　ジョイント
１３　ストッパー
１４　レール把持金具
２１　フレーム
２２　ローラー
２３　環部
３１　遠心爪
３２　細幅織りベルト
３３　係止具
３４　連結Ｕ字環
４１　リング
４２　バックル
４３　ベルト
【図１】
2004097562.tif 000003
【図２】
2004097562.tif 000004
【図３】
2004097562.tif 000005
【図４】
2004097562.tif 000006
【図５】
2004097562.tif 000007
【図６】
2004097562.tif 000008
【図７】
2004097562.tif 000009
【図８】
2004097562.tif 000010